(57)【要約】【課題】複数期間の経歴を比較する場合に、情報照会の効率化を図ることである。【解決手段】人事管理装置１０は、人員に係る経歴情報の推移を時系列に従って配置した経歴タイムラインを所定のタイムスケールで表示部１４に表示させ、表示された経歴タイムラインにおけるタイムスケールを部分的に切り替えるためのスケール切替ツールを表示部１４に表示させ、表示されたスケール切替ツールの複数の操作に応じて、経歴タイムラインにおけるタイムスケールを部分的に切り替えて表示させる。【選択図】図１
2018049544.tif 000002
【特許請求の範囲】
【請求項１】
人員に係る経歴の推移を時系列に従って配置した経歴タイムラインを所定のタイムスケールで表示手段に表示させる第１の表示制御手段と、
前記表示された経歴タイムラインにおけるタイムスケールを部分的に切り替えるためのスケール切替ツールを前記表示手段に表示させる第２の表示制御手段と、
前記表示されたスケール切替ツールの操作に応じて、前記経歴タイムラインにおけるタイムスケールを部分的に切り替えて表示させる第３の表示制御手段と、
を備える情報処理装置。
【請求項２】
前記第２の表示制御手段は、長さが異なる複数の期間でタイムスケールを部分的に切り替えるための複数のスケール切替ツールを一覧表示し、一覧表示の中から選択された所望のスケール切替ツールを表示させる請求項１に記載の情報処理装置。
【請求項３】
前記第２の表示制御手段は、前記操作された複数のスケール切替ツールをロックするロック操作を行うためのスケールロックツールを前記表示手段に表示させ、
前記第３の表示制御手段は、前記スケールロックツールによりロックされた複数のスケール切替ツールのズーム倍率変更操作に応じて、前記経歴タイムラインの複数の期間のズーム倍率を一括変更する請求項１又は２に記載の情報処理装置。
【請求項４】
前記第２の表示制御手段は、前記スケール切替ツールのドラッグ及びドロップ操作に応じて、当該スケール切替ツールを前記タイムスケール上にセットする表示を行う請求項１から３のいずれか一項に記載の情報処理装置。
【請求項５】
前記第２の表示制御手段は、前記経歴タイムラインのズームする分類を選択するためのスケール自動選択ツールを前記表示手段に表示させ、
前記第３の表示制御手段は、前記表示されたスケール自動選択ツールの操作に応じて、前記タイムスケールの選択された分類の変化点を含む期間に前記スケール切替ツールを自動的にセットする請求項１から４のいずれか一項に記載の情報処理装置。
【請求項６】
前記第２の表示制御手段は、前記経歴タイムラインの分類を追加選択するための追加表示項目を前記表示手段に表示させ、
前記第３の表示制御手段は、前記表示された追加表示項目の操作に応じて、前記経歴タイムラインに選択された分類の経歴タイムラインを追加して表示させる請求項１から５のいずれか一項に記載の情報処理装置。
【請求項７】
前記第２の表示制御手段は、前記経歴タイムラインの表示期間を入力するための期間指定欄を前記表示手段に表示させ、
前記第３の表示制御手段は、前記表示された期間指定欄への期間の指定に応じて、前記経歴タイムラインの表示期間を変更して表示させる請求項１から６のいずれか一項に記載の情報処理装置。
【請求項８】
コンピュータを、
人員に係る経歴の推移を時系列に従って配置した経歴タイムラインを所定のタイムスケールで表示手段に表示させる第１の表示制御手段、
前記表示された経歴タイムラインにおけるタイムスケールを部分的に切り替えるためのスケール切替ツールを前記表示手段に表示させる第２の表示制御手段、
前記表示されたスケール切替ツールの操作に応じて、前記経歴タイムラインにおけるタイムスケールを部分的に切り替えて表示させる第３の表示制御手段、  として機能させるためのプログラム。
【発明の詳細な説明】
【技術分野】
【０００１】
本発明は、情報処理装置及びプログラムに関する。
【背景技術】
【０００２】
従来、企業において、コンピュータを用いて社員の労務管理や給与管理を行うシステムとして、人事管理システムが知られている。この人事管理システムでは、例えばＡさんの人事履歴情報を照会することが行われる。
【０００３】
また、人事管理システムとして、人事情報を項目パターンで検索し、検索した人事情報の経歴の経験期間を年数表示メータの長さで表示する情報処理装置が知られている（特許文献１参照）。
【先行技術文献】
【特許文献】
【０００４】
【特許文献１】特開２０１１−２１０００４号公報
【発明の概要】
【発明が解決しようとする課題】
【０００５】
人事管理システムとして、人事履歴情報を経時的に表示する場合、タイムスケールに対応するタイムラインにより人事履歴情報を表示し、タイムスケールを切替えて表示情報を変更する方式が考えられる。しかし、この方式では、複数の期間を比較したい場合に、２画面を並べてタイムスケールをそれぞれ設定する必要があるため、操作が煩雑であり、人事情報の照会効率が低下する。
【０００６】
本発明の課題は、複数期間の経歴を比較する場合に、情報照会の効率化を図ることである。
【課題を解決するための手段】
【０００７】
上記課題を解決するために、本発明の情報処理装置は、人員に係る経歴の推移を時系列に従って配置した経歴タイムラインを所定のタイムスケールで表示手段に表示させる第１の表示制御手段と、前記表示された経歴タイムラインにおけるタイムスケールを部分的に切り替えるためのスケール切替ツールを前記表示手段に表示させる第２の表示制御手段と、前記表示されたスケール切替ツールの操作に応じて、前記経歴タイムラインにおけるタイムスケールを部分的に切り替えて表示させる第３の表示制御手段と、を備える。
【発明の効果】
【０００８】
本発明によれば、複数期間の経歴を比較する場合に、情報照会の効率化を図ることができる。
【図面の簡単な説明】
【０００９】
【図１】本発明の実施の形態の人事管理装置を示すブロック図である。
【図２】社員基本情報テーブルの構成を示す図である。
【図３】社員履歴情報テーブルの構成を示す図である。
【図４】人事履歴情報照会処理を示すフローチャートである。
【図５】照会対象社員指定画面情報を示す図である。
【図６】通常の第１の人事履歴情報照会画面情報を示す図である。
【図７】２つの期間を手動で指定した第２の人事履歴情報照会画面情報を示す図である。
【図８】２つの期間を自動で指定した第３の人事履歴情報照会画面情報を示す図である。
【発明を実施するための形態】
【００１０】
以下、添付図面を参照して本発明に係る実施の形態を詳細に説明する。なお、本発明は、図示例に限定されるものではない。
【００１１】
先ず、図１を参照して、本実施の形態の装置構成を説明する。図１は、本実施の形態の人事管理装置１０を示すブロック図である。
【００１２】
情報処理装置としての人事管理装置１０は、企業に設置され、当該企業の社員の個人情報としての人事情報を管理する装置である。人事情報（人事履歴情報）は、人事に関する情報に加え、業務に関する情報も含むものとする。人事管理装置１０は、採用管理、人事管理、労務管理、給与管理等に関連した業務処理により、社員の情報の登録、管理を行う。但し、人事管理装置１０は、企業の社員の人事情報を管理する構成に限定されるものではなく、社員以外の人材の個人情報を管理する構成としてもよい。
【００１３】
図１に示すように、人事管理装置１０は、第１、第２、第３の表示制御手段としてのＣＰＵ（Central Processing Unit）１１と、操作部１２と、ＲＡＭ（Random Access Memory）１３と、表示手段としての表示部１４と、記憶部１５と、通信部１６と、を備える。人事管理装置１０の各部は、バス１７を介して接続されている。
【００１４】
ＣＰＵ１１は、人事管理装置１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１５】
操作部１２は、キーボード等のキー入力部と、マウス等のポインティングデバイスとを有し、操作者（オペレータ）からのキー操作入力及び位置操作入力を受け付け、その操作情報をＣＰＵ１１に出力する。
【００１６】
ＲＡＭ１３は、揮発性のメモリであり、各種のデータやプログラムを一時的に格納するワークエリアを形成する。表示部１４は、ＬＣＤ（Liquid Crystal Display）、ＥＬ（ElectroLuminescent）ディスプレイ等で構成され、ＣＰＵ１１から指示された表示情報に従い各種表示を行う。
【００１７】
記憶部１５は、ＨＤＤ（Hard Disk Drive）、ＳＳＤ（Solid State Drive）等により構成され、データ及びプログラムを書き込み及び読み出し可能な記憶部である。記憶部１５は、人事履歴情報照会プログラム１５１と、後述する、社員基本情報テーブル２０、社員履歴情報テーブル３０、アイコンデータと、を記憶している。
【００１８】
通信部１６は、ネットワークカード等により構成され、通信ネットワーク（図示略）上のデータベース等の機器に接続される。通信ネットワークは、ＬＡＮ（Local Area Network）、ＷＡＮ（Wide Area Network）等である。ＣＰＵ１１は、通信部１６を介して、通信ネットワーク上の機器と通信が可能である。
【００１９】
本実施の形態では、社員基本情報テーブル２０、社員履歴情報テーブル３０等が記憶部１５に記憶されているものとして説明するが、これに限定されるものではない。例えば、通信部１６を介して通信接続されたサーバ等の記憶装置に社員基本情報テーブル２０、社員履歴情報テーブル３０が記憶され、ＣＰＵ１１は、必要に応じて、通信部１６を介して、記憶装置にアクセスし、社員基本情報テーブル２０、社員履歴情報テーブル３０等を読み出し、書き込みする構成としてもよい。
【００２０】
次に、図２、図３を参照して、記憶部１５に記憶されている情報を説明する。図２は、社員基本情報テーブル２０の構成を示す図である。図３は、社員履歴情報テーブル３０の構成を示す図である。
【００２１】
社員基本情報テーブル２０は、企業に所属する社員の現在の基本的な人事情報を有するデータテーブルである。図２に示すように、社員基本情報テーブル２０は、社員番号２１、社員氏名２２、年齢２３、性別２４、データ更新年月２５、自宅２６等のフィールドを有する。
【００２２】
社員番号２１は、企業に所属する社員の識別情報である。社員氏名２２は、社員番号２１の社員の氏名である。年齢２３は、社員番号２１の社員の年齢である。性別２４は、社員番号２１の社員の年齢である。データ更新年月２５は、社員番号２１の社員の社員基本情報テーブル２０のレコードの更新年月である。自宅２６は、社員番号２１の社員の自宅の住所である。
【００２３】
社員履歴情報テーブル３０は、企業に所属する社員の過去から現在までの人事情報の履歴情報（人事履歴情報）を有するデータテーブルである。図３に示すように、社員履歴情報テーブル３０は、社員番号３１、社員氏名３２、分類３３、タイトル３４、内容３５、開始３６、終了３７、アイコン種別３８等のフィールドを有する。
【００２４】
社員番号３１は、企業に所属する社員の識別情報である。社員氏名３２は、社員番号３１の社員の氏名である。分類３３は、社員番号３１の社員の履歴情報の分類の名称である。タイトル３４は、社員番号３１の社員の履歴情報のタイトル名である。内容３５は、社員番号３１の社員の履歴情報の内容である。
【００２５】
開始３６は、分類３３、タイトル３４、内容３５に対応する履歴情報の開始年月日である。終了３７は、分類３３、タイトル３４、内容３５に対応する履歴情報の終了年月日である。アイコン種別３８は、分類３３、タイトル３４、内容３５に対応する履歴情報を示すアイコンの種別である。
【００２６】
次に、図４〜図８を参照して、人事管理装置１０の動作を説明する。図４は、人事履歴情報照会処理を示すフローチャートである。図５は、照会対象社員指定画面情報２００を示す図である。図６は、通常の人事履歴情報照会画面情報３００を示す図である。図７は、２つの期間を手動で指定した人事履歴情報照会画面情報３００Ａを示す図である。図８は、２つの期間を自動で指定した人事履歴情報照会画面情報３００Ｂを示す図である。
【００２７】
人事管理装置１０で実行される人事履歴情報照会処理を説明する。人事履歴情報照会処理は、人事履歴情報の照会対象の社員を指定し、指定した社員の人事履歴情報を時系列に並べて表示（タイムライン表示）する処理である。人事管理装置１０において、例えば、操作部１２を介して操作者から人事履歴情報照会処理の実行指示が入力されたことをトリガとして、ＣＰＵ１１は、記憶部１５から読み出して適宜ＲＡＭ１３に展開した人事履歴情報照会プログラム１５１との協働で、人事履歴情報照会処理を実行する。
【００２８】
図４に示すように、先ず、ＣＰＵ１１は、照会対象社員指定画面情報を生成して表示部１４に表示し、操作部１２を介して、操作者からの照会対象社員の社員情報の指定入力を受け付ける（ステップＳ１１）。ステップＳ１１では、例えば、図５に示す照会対象社員指定画面情報２００が生成されて表示される。
【００２９】
照会対象社員指定画面情報２００は、社員番号入力欄２０１と、社員氏名入力欄２０２と、実行ボタン２０３と、を有する。社員番号入力欄２０１は、照会対象社員の社員番号の入力を受け付ける入力欄である。社員氏名入力欄２０２は、照会対象社員の氏名の入力を受け付ける入力欄である。実行ボタン２０３は、社員番号入力欄２０１、社員氏名入力欄２０２の指定を確定し、照会の実行の入力を受け付ける入力欄である。例えば、照会社員としての山田太郎の社員番号：１０００、社員氏名：山田太郎が入力されたものとする。
【００３０】
そして、ＣＰＵ１１は、社員基本情報テーブル２０、社員履歴情報テーブル３０及びアイコンデータを記憶部１５から読み出し、社員基本情報テーブル２０、社員履歴情報テーブル３０及びアイコンデータに基づいて、ステップＳ１１で入力された照会対象社員の社員情報（社員番号及び社員氏名）に対応する照会対象社員の人事履歴情報を示す人事履歴情報照会画面情報を生成して表示部１４に表示する（ステップＳ１２）。ステップＳ１２では、例えば、図６に示す人事履歴情報照会画面情報３００が生成され表示される。
【００３１】
人事履歴情報照会画面情報３００は、社員基本情報表示欄３１０と、タイムスケール表示欄３２０と、履歴情報表示欄３３０と、操作ツール表示欄３４０と、終了ボタン３５０と、を有する。
【００３２】
社員基本情報表示欄３１０は、社員基本情報テーブル２０のステップＳ１１で入力された照会対象社員のレコードに基づく社員基本情報の表示欄である。社員基本情報表示欄３１０は、例えば、ステップＳ１１で入力された社員番号２１、社員氏名３２及びこれらに対応する年齢２３が表示されている。タイムスケール表示欄３２０は、人事履歴情報の表示対象のタイムスケールの表示欄である。タイムスケールは、経時の方向として左から右への方向に、複数の単位期間（例えば、１年）が順に並べられている。
【００３３】
履歴情報表示欄３３０は、社員履歴情報テーブル３０のステップＳ１１で入力された照会対象社員のレコード（社員番号３１、社員氏名３２が、照会対象社員の社員番号、社員氏名のレコード）に基づく人事履歴情報のタイムラインの表示欄である。履歴情報表示欄３３０は、分類表示欄３３１と、履歴情報表示領域３３２と、を有する。分類表示欄３３１は、分類３３に基づき、各分類を示す。分類表示欄３３１は、初期状態では、例えば、予め設定された所定の複数の分類が表示されているものとする。
【００３４】
履歴情報表示領域３３２は、タイムスケール表示欄３２０のタイムスケールの単位期間に対応するように、照会対象社員の分類表示欄３３１の分類毎に、人事履歴情報の開始位置、終了位置、開始年月（、終了年月）、タイトル、アイコンを含むタイムライン（経歴タイムライン）を示す。履歴情報表示領域３３２の人事履歴情報の開始位置、終了位置、開始年月（、終了年月）、内容、アイコンは、開始３６、終了３７、開始３６に対応する年月（、終了３７に対応する年月）、タイトル３４、アイコン種別３８に対応するアイコンデータに基づく。
【００３５】
操作ツール表示欄３４０は、履歴情報表示欄３３０の表示条件を変更するための操作ツールを示す表示欄である。操作ツール表示欄３４０は、期間指定欄３４１と、スケール切替ツール３４２と、スケールロックツール３４３と、スケール自動選択ツール３４４と、追加表示項目３４５と、を有する。
【００３６】
期間指定欄３４１は、タイムスケール表示欄３２０の絶対表示期間の指定入力を受け付ける入力欄である。スケール切替ツール３４２は、指定期間の表示スケールの長さを長くする設定入力を受け付ける操作ツールである。スケール切替ツール３４２は、１か月、１年、３年、５年等、複数の指定期間用の操作ツールが一覧表示されて用意されている。スケール切替ツール３４２は、操作部１２を介する操作者からのマウス操作のドラッグ＆ドロップの操作により、タイムスケール表示欄３２０の単位期間にセットされる。スケール切替ツール３４２のセットにより、そのセットされた単位期間を中心として、指定期間分の単位期間のタイムスケールが経時方向に所定のズーム倍率で（長さが）設定される。また、スケール切替ツール３４２は、タイムスケール表示欄３２０に、複数セットすることが可能である。
【００３７】
スケール切替ツール３４２がセットされたタイムスケール表示欄３２０の単位期間は、履歴情報表示領域３３２の時間を左右に移動操作しても、履歴情報表示領域３３２上のスケール切替ツール３４２に対応する単位期間の位置は固定される。例えば、スケール切替ツール３４２の指定期間が３年の単位期間が２００３年〜２００５年である場合に、履歴情報表示領域３３２の時間が左に１年移動操作されると、スケール切替ツール３４２の指定期間の長さは変わらず、３年の単位期間が２００４年〜２００６年となる。
【００３８】
スケールロックツール３４３は、複数セットされたスケール切替ツール３４２のタイムスケール表示欄３２０の単位期間をロックするための操作ツールである。スケールロックツール３４３は、操作部１２を介する操作者からのマウス操作のドラッグ＆ドロップの操作により、ロックする複数のスケール切替ツール３４２にセットされる。ロックされた複数のスケール切替ツール３４２は、後述するスケールズーム操作ツールにより、ズーム又は縮小の一括操作で各スケール切替ツール３４２を経時方向に同じズーム倍率にズーム又は縮小することが可能である。
【００３９】
スケール自動選択ツール３４４は、スケール切替ツール３４２をタイムスケール表示欄３２０に自動的に配置するための操作ツールである。スケール自動選択ツール３４４は、例えば、プロジェクト、研修、資格、役職、事務所、自宅、家族構成等の分類毎に設けられた押しボタンで構成される。スケール自動選択ツール３４４のクリック操作により、選択された分類のタイムラインに変化があるタイムスケール表示欄３２０の位置に、予め設定された期間のスケール自動選択ツール３４４が自動的にセットされる。
【００４０】
追加表示項目３４５は、履歴情報表示欄３３０に表示する人事履歴情報の分類を追加する操作ツールである。追加表示項目３４５は、例えば、人事考課、年間給与、残業時間、休日出勤、モチベーション、従業員満足度、戦略指向、実務指向等の分類を少なくとも１つ選択可能なチェックボックスで構成される。追加表示項目３４５は、操作部１２のマウスのクリック操作により、オン／オフの設定が可能である。
【００４１】
終了ボタン３５０は、人事履歴情報照会処理の終了指示の入力を受け付ける押しボタンである。
【００４２】
図４に戻り、ＣＰＵ１１は、操作部１２を介して操作者から操作ツール表示欄３４０の操作ツールを用いた操作情報の入力があるか否かを判別する（ステップＳ１３）。操作ツールの操作情報の入力がある場合（ステップＳ１３；ＹＥＳ）、ＣＰＵ１１は、ステップＳ１３で入力された操作情報と、社員基本情報テーブル２０、社員履歴情報テーブル３０及びアイコンデータとに基づいて、照会対象社員の人事履歴情報照会画面情報を変更して表示部１４に表示する（ステップＳ１４）。
【００４３】
そして、ＣＰＵ１１は、操作部１２を介して操作者から終了ボタン３５０のクリック入力があるか否かを判別する（ステップＳ１５）。操作ツールの操作情報の入力がない場合（ステップＳ１３；ＮＯ）、ステップＳ１５に移行される。終了ボタン３５０のクリック入力がない場合（ステップＳ１５；ＮＯ）、ステップＳ１３に移行される。終了ボタン３５０のクリック入力がある場合（ステップＳ１５；ＹＥＳ）、人事履歴情報照会処理が終了する。
【００４４】
ここで、ステップＳ１３の操作入力及びステップＳ１４の人事履歴情報照会画面情報の具体例を説明する。ステップＳ１２で、図６の人事履歴情報照会画面情報３００が表示されたものとし、ステップＳ１３で、指定期間が３年のスケール切替ツール３４２が、タイムスケール表示欄３２０の２００４年の単位期間及び２０１４年の単位期間にセット操作され、スケールロックツール３４３により、セットされた２つのスケール切替ツール３４２がロック操作されたものとする。
【００４５】
すると、ステップＳ１４において、図７に示すような人事履歴情報照会画面情報３００Ａが表示される。人事履歴情報照会画面情報３００Ａでは、タイムスケール表示欄３２０にスケール切替ツール３４２ａ，３４２ｂがセットされ、スケールロックツール３４３ａにより、スケール切替ツール３４２ａ，３４２ｂがロックされている。スケール切替ツール３４２ａ，３４２ｂには、それぞれ、近傍にスケールズーム操作ツールｚ１，ｚ２が配置されている。スケールズーム操作ツールｚ１，ｚ２は、クリック入力の時間及び回数に応じて、スケール切替ツール３４２ａ，３４２ｂの両方を同時に経時方向へのズーム倍率（スケール切替ツール３４２によりズームしている期間を変更せずに表示画面上の長さを長く又は短くする）を切替え可能な操作ツールである。スケールズーム操作ツールｚ１，ｚ２は、例えば、クリック入力毎にズームと縮小とが切り替わり、クリックの長さに応じてズーム倍率を大きく又は小さく設定される。
【００４６】
スケール切替ツール３４２ａ，３４２ｂに応じて、タイムスケール表示欄３２０の単位期間及び履歴情報表示領域３３２が変更されている。操作者は、照会対象社員の山田太郎について、スケール切替ツール３４２ａ，３４２ｂにより、２００３年〜２００５年、２０１３年〜２０１５年の２つの期間のズームされた人事履歴情報のタイムラインを目視により確認して比較する。
【００４７】
また、ステップＳ１３の操作入力及びステップＳ１４の人事履歴情報照会画面情報の具体的な別の例を説明する。ステップＳ１２で、図６の人事履歴情報照会画面情報３００が表示されたものとし、ステップＳ１３で、分類が家族構成のスケール自動選択ツール３４４がクリック入力され、分類が人事考課及びモチベーションの追加表示項目３４５がクリック入力によりチェックされたものとする。また、期間指定欄３４１において、２００５年〜２０１５年が指定入力されたものとする。
【００４８】
すると、ステップＳ１４において、図８に示すような人事履歴情報照会画面情報３００Ｂが表示される。人事履歴情報照会画面情報３００Ｂでは、タイムスケール表示欄３２０と、履歴情報表示領域３３２とが、２００５年〜２０１５年で表示されている。また、スケール自動選択ツール３４４ａのオンにより、分類が家族構成の内容の変化点３４４ｃ，３４４ｄを中心とする期間の位置に、所定期間（例えば３年）のスケール切替ツール３４２ｃ，３４２ｄが自動的にセットされる。例えば、スケール切替ツール３４２ｃが２００６年〜２００８年の単位期間にセットされ、スケール切替ツール３４２ｄが２０１２年〜２０１４年の単位期間にセットされる。
【００４９】
また、人事履歴情報照会画面情報３００Ｂでは、追加表示項目３４５ａ，３４５ｂのチェックにより、履歴情報表示欄３３０において、分類が人事考課の分類表示欄３３１ａ、履歴情報表示領域３３２ａと、分類がモチベーションの分類表示欄３３１ｂ、履歴情報表示領域３３２ｂと、が追加されている。操作者は、照会対象社員の山田太郎について、スケール切替ツール３４２ｃ，３４２ｄにより、２００６年〜２００８年、２０１２年〜２０１４年の２つの期間のズームされた人事履歴情報のタイムラインを目視により確認して比較する。
【００５０】
以上、本実施の形態によれば、人事管理装置１０は、人員に係る経歴の推移を時系列に従って配置した人事履歴情報のタイムラインを所定のタイムスケールで表示部１４に表示させ、表示された人事履歴情報のタイムラインにおけるタイムスケール表示欄３２０上のタイムスケール（の表示長さ）を部分的に切り替えるためのスケール切替ツール３４２を表示部１４に表示させ、表示されたスケール切替ツール３４２の操作に応じて、人事履歴情報のタイムラインにおけるタイムスケールを部分的に切り替えて表示させる。
【００５１】
このため、照会対象社員の複数期間の経歴（人事履歴情報）を比較する場合に、複数のスケール切替ツール３４２をタイムスケール表示欄３２０にセットするだけで、複数の期間をズーム表示して比較でき、情報照会の効率化を図ることができる。
【００５２】
また、人事管理装置１０は、長さが異なる複数の期間でタイムスケールを部分的に切り替える複数のスケール切替ツール３４２を一覧表示し、一覧表示の中から選択された所望のスケール切替ツール３４２を表示させる。このため、所望の期間のズーム操作を容易に行うことができる。
【００５３】
また、人事管理装置１０は、操作された複数のスケール切替ツール３４２をロックするロック操作を行うためのスケールロックツール３４３を表示部１４に表示させ、ズーム操作ツールｚ１，ｚ２により、スケールロックツール３４３によりロックされた複数のスケール切替ツールのズーム倍率変更操作に応じて、人事履歴情報のタイムラインの複数の期間のズーム倍率を一括変更する。このため、複数の期間のズーム倍率変更を同時且つ容易に行うことができ、操作者の操作負担を低減できる。
【００５４】
また、人事管理装置１０は、スケール切替ツール３４２のドラッグ及びドロップ操作に応じて、当該スケール切替ツール３４２をタイムスケール表示欄３２０上にセットする表示を行う。このため、所望の期間のズーム操作を容易に行うことができる。
【００５５】
また、人事管理装置１０は、人事履歴情報のタイムラインのズームする分類を選択するためのスケール自動選択ツール３４４を表示部１４に表示させ、表示されたスケール自動選択ツール３４４の操作に応じて、人事履歴情報のタイムスケール表示欄３２０の選択された分類の変化点を含む期間にスケール切替ツール３４２を自動的にセットする。このため、人事履歴情報のタイムラインの選択された分類の変化点を中心とした複数の期間を容易に比較できる。
【００５６】
また、人事管理装置１０は、人事履歴情報のタイムラインの分類を追加選択するための追加表示項目３４５を表示部１４に表示させ、表示された追加表示項目３４５の操作に応じて、人事履歴情報のタイムラインに選択された分類の人事履歴情報のタイムラインを追加して表示させる。このため、人事履歴情報のタイムラインについて分類を容易に追加して表示できる。
【００５７】
また、人事管理装置１０は、人事履歴情報のタイムラインの表示期間を入力するための期間指定欄３４１を表示部１４に表示させ、表示された期間指定欄３４１への期間の指定に応じて、人事履歴情報のタイムラインの表示期間を変更して表示させる。このため、人事履歴情報のタイムラインの表示期間を容易に変更できる。
【００５８】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００５９】
なお、上記実施の形態における記述は、本発明に係る情報処理装置及びプログラムの一例であり、これに限定されるものではない。
【００６０】
例えば、上記実施の形態では、スケール切替ツール３４２の指定期間が予め設定されている構成としたが、これに限定されるものではない。例えば、人事管理装置１０が、期間指定欄３４１と同様に、スケール切替ツール３４２の期間指定欄を表示し、当該期間指定欄に期間を指定することで、当該指定された期間のスケール切替ツール３４２を当該指定された期間の位置に表示させる構成としてもよい。また、操作部１２を介する操作者の操作に応じて、スケール切替ツール３４２の期間を任意に設定できる構成としてもよい。
【００６１】
また、上記実施の形態では、人事履歴情報照会画面情報に、スケール自動選択ツール３４４を表示する構成としたが、これに限定されるものではない。例えば、人事履歴情報照会画面情報に表示されているスケール切替ツール３４２を、分類表示欄３３１にドラッグ＆ドロップすることにより、履歴情報表示領域３３２におけるドロップされた分類表示欄３３１の分類の人事履歴情報のタイムラインの変化点に対応するタイムスケール表示欄３２０の期間にスケール切替ツール３４２を自動的にセットする構成としてもよい。
【００６２】
また、上記実施の形態における人事管理装置１０の各構成要素の細部構成及び細部動作に関しては、本発明の趣旨を逸脱することのない範囲で適宜変更可能であることは勿論である。
【００６３】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
人員に係る経歴の推移を時系列に従って配置した経歴タイムラインを所定のタイムスケールで表示手段に表示させる第１の表示制御手段と、
前記表示された経歴タイムラインにおけるタイムスケールを部分的に切り替えるためのスケール切替ツールを前記表示手段に表示させる第２の表示制御手段と、
前記表示されたスケール切替ツールの操作に応じて、前記経歴タイムラインにおけるタイムスケールを部分的に切り替えて表示させる第３の表示制御手段と、
を備える情報処理装置。
＜請求項２＞
前記第２の表示制御手段は、長さが異なる複数の期間でタイムスケールを部分的に切り替えるための複数のスケール切替ツールを一覧表示し、一覧表示の中から選択された所望のスケール切替ツールを表示させる請求項１に記載の情報処理装置。
＜請求項３＞
前記第２の表示制御手段は、前記操作された複数のスケール切替ツールをロックするロック操作を行うためのスケールロックツールを前記表示手段に表示させ、
前記第３の表示制御手段は、前記スケールロックツールによりロックされた複数のスケール切替ツールのズーム倍率変更操作に応じて、前記経歴タイムラインの複数の期間のズーム倍率を一括変更する請求項１又は２に記載の情報処理装置。
＜請求項４＞
前記第２の表示制御手段は、前記スケール切替ツールのドラッグ及びドロップ操作に応じて、当該スケール切替ツールを前記タイムスケール上にセットする表示を行う請求項１から３のいずれか一項に記載の情報処理装置。
＜請求項５＞
前記第２の表示制御手段は、前記経歴タイムラインのズームする分類を選択するためのスケール自動選択ツールを前記表示手段に表示させ、
前記第３の表示制御手段は、前記表示されたスケール自動選択ツールの操作に応じて、前記タイムスケールの選択された分類の変化点を含む期間に前記スケール切替ツールを自動的にセットする請求項１から４のいずれか一項に記載の情報処理装置。
＜請求項６＞
前記第２の表示制御手段は、前記経歴タイムラインの分類を追加選択するための追加表示項目を前記表示手段に表示させ、
前記第３の表示制御手段は、前記表示された追加表示項目の操作に応じて、前記経歴タイムラインに選択された分類の経歴タイムラインを追加して表示させる請求項１から５のいずれか一項に記載の情報処理装置。
＜請求項７＞
前記第２の表示制御手段は、前記経歴タイムラインの表示期間を入力するための期間指定欄を前記表示手段に表示させ、
前記第３の表示制御手段は、前記表示された期間指定欄への期間の指定に応じて、前記経歴タイムラインの表示期間を変更して表示させる請求項１から６のいずれか一項に記載の情報処理装置。
＜請求項８＞
コンピュータを、
人員に係る経歴の推移を時系列に従って配置した経歴タイムラインを所定のタイムスケールで表示手段に表示させる第１の表示制御手段、
前記表示された経歴タイムラインにおけるタイムスケールを部分的に切り替えるためのスケール切替ツールを前記表示手段に表示させる第２の表示制御手段、
前記表示されたスケール切替ツールの操作に応じて、前記経歴タイムラインにおけるタイムスケールを部分的に切り替えて表示させる第３の表示制御手段、
として機能させるためのプログラム。
【符号の説明】
【００６４】
１０  人事管理装置
１１  ＣＰＵ
１２  操作部
１３  ＲＡＭ
１４  表示部
１５  記憶部
１６  通信部
１７  バス
【図１】
2018049544.tif 000003
【図２】
2018049544.tif 000004
【図３】
2018049544.tif 000005
【図４】
2018049544.tif 000006
【図５】
2018049544.tif 000007
【図６】
2018049544.tif 000008
【図７】
2018049544.tif 000009
【図８】
2018049544.tif 000010